(57)【特許請求の範囲】
【請求項１】
無線伝送で変調を行うディジタル無線システムにおいて、
ベースバンド信号を多相分離する多相分離部と、
前記多相分離部からの出力を互いに位相が直交し多値情報を含む２チャンネルの直交多値信号に変換する直交多値信号変換部と、
前記直交多値信号を波形整形した多値信号を生成する多値信号生成部と、前記直交多値信号の断検出を行う入力断検出部と、疑似信号を発生する疑似信号発生部と、前記入力断検出部からの断検出信号により、前記多値信号または前記疑似信号のいずれかを選択し出力する信号選択部と、を含み前記直交多値信号を１次変調する１次変調部と、
前記１次変調部からの出力を合成する変調波合成部と、
前記変調波合成部の出力を２次変調する２次変調部と、
前記２次変調部からの出力の電力レベルを一定レベルにするレベル制御部と、
を有することを特徴とするディジタル無線システム。
【請求項２】
前記直交多値信号変換部は前記多相分離部からの出力を互いに位相が直交関係にあって４値の情報を含む２チャンネルの信号に変換する直交４値信号変換部で構成されることを特徴とする請求項１記載のディジタル無線システム。
【発明の詳細な説明】
【０００１】
【発明の属する技術分野】
本発明はディジタル無線システムに関し、特に無線伝送で変調を行うディジタル無線システムに関する。
【０００２】
【従来の技術】
無線における伝送技術として、ベースバンド信号を無線周波数帯の信号に変換する変調方式が一般に行われている。この中で特に伝送効率を向上させるためマルチキャリア方式が広く用いられている。
【０００３】
図４は３つの変調器から構成されるマルチキャリア方式を使用した場合の出力レベル波形を示す図である。レベルＰ１、Ｐ２及びＰ３はそれぞれ３つの変調器から出力された波形をレベル的に表している。この３つのキャリアのレベルを加算したレベルＰが全体の出力レベルである。このレベルＰを一定にたもちながら信号が送信される。
【０００４】
【発明が解決しようとする課題】
しかし、変調器の入力が断となった場合、急激なレベル変動が生じ、受信側ではエラーが発生する。図５は急激なレベル変動が生じた場合の出力レベル波形を示す図である。図４のレベルＰ１に対応する変調器の入力が断となった場合、レベルＰ１が低下し、レベルＰ１ａのような出力波形になったとする。すると全体のレベルＰを保持する必要があるため、レベルＰ１が低下した分、レベルＰ２とレベルＰ３が上がることになり、レベルＰ２ａとレベルＰ３ａのような出力波形が送信されることになる。
【０００５】
このように正常なはずのレベルＰ２とレベルＰ３にもレベル変動が生じるため、受信側ではエラーとなり通信品質を低下させることになる。
本発明はこのような点に鑑みてなされたものであり、高品質の通信を行うディジタル無線システムを提供することを目的とする。
【０００６】
【課題を解決するための手段】
本発明では上記課題を解決するために、無線伝送で変調を行うディジタル無線システムにおいて、ベースバンド信号を多相分離する多相分離部と、多相分離部からの出力を互いに位相が直交し多値情報を含む２チャンネルの直交多値信号に変換する直交多値信号変換部と、直交多値信号を波形整形した多値信号を生成する多値信号生成部と、直交多値信号の断検出を行う入力断検出部と、疑似信号を発生する疑似信号発生部と、入力断検出部からの断検出信号により、多値信号または疑似信号のいずれかを選択し出力する信号選択部と、を含み直交多値信号を１次変調する１次変調部と、１次変調部からの出力を合成する変調波合成部と、変調波合成部の出力を２次変調する２次変調部と、２次変調部からの出力の電力レベルを一定レベルにするレベル制御部と、を有することを特徴とするディジタル無線システムが提供される。
【０００７】
ここで、多相分離部は、ベースバンド信号を多相分離する。直交多値信号変換部は、多相分離部からの出力を互いに位相が直交し多値情報を含む２チャンネルの直交多値信号に変換する。多値信号生成部は、直交多値信号を波形整形した多値信号を生成する。入力断検出部は、直交多値信号の断検出を行う。疑似信号発生部は、疑似信号を発生する。信号選択部は、入力断検出部からの断検出信号により、多値信号または疑似信号のいずれかを選択し出力する。変調波合成部は、１次変調部からの出力を合成する。２次変調部は、変調波合成部の出力を２次変調する。レベル制御部は、２次変調部からの出力の電力レベルを一定レベルにする。
【０００８】
このような構成により、１次変調部への入力信号が断した場合でも、入力信号のかわりに疑似信号が変調されて１次変調部から出力される。よって、入力信号が断した時の出力のレベル変動が抑えられるので、通信品質の低下を防ぐことができる。
【０００９】
【発明の実施の形態】
以下、本発明の実施の形態を図面に基づいて説明する。図１はディジタル無線装置の原理図である。ディジタル無線装置は、入力信号の波形整形をし、多値信号を生成する多値信号生成部１と、入力信号の断検出を行う入力断検出部２と、疑似信号を発生する疑似信号発生部３と、入力断検出部２からの断検出信号により、多値信号または疑似信号のいずれかを選択し出力する信号選択部４とで構成される。
【００１０】
多値信号生成部１は入力信号の波形整形をし、入力信号に多値情報を持たせて多値信号を生成する。入力断検出部２は入力信号の断検出を行い、断検出信号を多値信号生成部１と信号選択部４に送信する。疑似信号発生部３は多値信号生成部１から出力される信号を疑似した疑似信号を発生する。信号選択部４は入力断検出部２からの出力信号を受けて、多値信号または疑似信号のいずれかを選択する。
【００１１】
図２はディジタル無線装置の実施形態図である。多値信号生成部１と、入力断検出部２と、疑似信号発生部３と、信号選択部４と、Ｄ／Ａ変換部５と、変調部６とキャリア発生部７とから構成される。
【００１２】
多値信号生成部１はロールオフフィルタ１１、１２と加算器１３で構成される。Ｉ信号とＱ信号はそれぞれロールオフフィルタ１１、１２に接続され、その出力が加算器１３で加算される。Ｉ信号とＱ信号は互いに位相が直交する４値の情報を含む直交４値信号である。ロールオフフィルタ１１、１２は波形歪みによる符号間干渉を抑えてＩ信号とＱ信号を帯域圧縮して波形整形をする。そして、ロールオフフィルタ１１、１２通過後は加算器１３で加算されることにより、ベクトル合成されて１チャンネルの１６値の情報を持った１６値信号が生成される。
【００１３】
入力断検出部２は入力信号であるＩ信号またはＱ信号の断検出を行う。Ｉ信号またはＱ信号の断を検出すると、入力断検出部２の出力である断検出信号が多値信号生成部１と信号選択部４に送信される。断検出信号を受信した多値信号生成部１では、動作が停止し、電力消費が最小となる状態に固定される。Ｉ信号またはＱ信号が断した場合に多値信号生成部１を動作させておくことは無駄な電力消費となるからである。また、信号選択部４は断検出信号が入力されると疑似信号発生部３の出力信号を選択する。
【００１４】
疑似信号発生部３は多値信号生成部１から出力される信号を疑似した疑似信号を発生する。そして、Ｉ信号またはＱ信号が断した場合に信号選択部４でこの疑似信号が選択される。
【００１５】
Ｄ／Ａ変換部５は信号選択部４の出力であるディジタル信号をアナログ信号に変換する。変調部６はキャリア発生部７のキャリア出力をＤ／Ａ変換部５のアナログ出力で変調して出力する。
【００１６】
以上説明したように、入力信号が断しても入力信号を疑似した疑似信号を変調して出力する構成にしたので、出力Ｓの急激なレベル変動を防ぐことができる。
次に上記で説明したディジタル無線装置を用いて、マルチキャリア方式を構成するディジタル無線システムについて説明する。図３はディジタル無線システムの原理図である。ディジタル無線システムはベースバンド信号を多相分離する多相分離部２１と、多相分離された各相のベースバンド信号を互いに位相が直交し、多値情報を含む２チャンネルの直交多値信号に変換する直交多値信号変換部２２と、直交多値信号を１次変調する１次変調部２３、２４及び２５と、１次変調部からの出力を合成する変調波合成部２６と、変調波合成部の出力を２次変調する２次変調部２７と、２次変調部からの出力の電力レベルを一定レベルにするレベル制御部２８とで構成される。
【００１７】
多相分離部２１はベースバンド信号を多相分離する。ここでは３相に分離し、その後、各相毎に処理される。直交多値信号変換部２２は直交４値信号変換部２２ａ，２２ｂ及び２２ｃから構成されている。直交４値信号変換部は互いに位相が直交関係にあって４値の情報を持つ２チャンネルの信号を生成する。この信号は図２で説明したＩ信号とＱ信号に対応する。
【００１８】
１次変調部２３、２４及び２５は直交多値信号であるＩ信号とＱ信号とを１次変調する。この１次変調部は図２で説明したディジタル無線装置でそれぞれ構成される。変調波合成部２６は１次変調部からの出力を合成する。２次変調部２７は変調波合成部２６の出力を２次変調する。レベル制御部２８は２次変調部からの出力の電力レベルを一定レベルにし、無線伝送する。
【００１９】
【発明の効果】
以上説明したように本発明では、ベースバンドとなる入力信号の断を検出し、断になっても疑似信号を発生させてその変調波を出力できるようにした。これにより、出力波形の急激なレベル変動を防ぐことができるので通信品質を低下させない効率の良い無線通信を行うことができる。
【図面の簡単な説明】
【図１】ディジタル無線装置の原理図である。
【図２】ディジタル無線装置の実施形態図である。
【図３】ディジタル無線システムの原理図である。
【図４】正常時の出力レベル波形を示す図である。
【図５】急激なレベル変動が生じた場合の出力レベル波形を示す図である。
【符号の説明】
１  多値信号生成部
２  入力断検出部
３  疑似信号発生部
４  信号選択部
【図１】
0003605210.tif 000002
【図２】
0003605210.tif 000003
【図３】
0003605210.tif 000004
【図４】
0003605210.tif 000005
【図５】
0003605210.tif 000006